(57)【要約】      （修正有）【課題】利便性と実用性を大幅に向上させた事務機の棒状ローラーの構造を提供する。【解決手段】事務機の棒状ローラーの構造は、ローラー１０、棒体２０を備え、ローラー１０上には、複数の凹槽１０１を設置し、複数の凹槽１０１の間には、複数の接触面１０２を形成し、しかも、ローラー１０上のあらゆる回転弧のすべての同一の横方向面は、複数の接触面１０２に対応し、棒体２０は、ローラー１０に対応して貫通し、ローラー１０に結合し、ローラー１０の回転動を連動する。【選択図】図３
0003155281.tif 000002
【実用新案登録請求の範囲】
【請求項１】
事務機の棒状ローラーの構造は、ローラー、棒体を備え、
前記ローラー上には、複数の凹槽を設置し、
前記複数の凹槽の間には、複数の接触面を形成し、
しかも、前記ローラー上のあらゆる回転弧のすべての同一の横方向面は、前記複数の接触面に対応し、
前記棒体は、前記ローラーに対応して貫通し、前記ローラーに結合し、前記ローラーの回転動を連動することを特徴とする事務機の棒状ローラーの構造。
【請求項２】
前記ローラー上の複数の凹槽は、網状分布を呈することを特徴とする請求項１に記載の事務機の棒状ローラーの構造。
【請求項３】
前記ローラー上の複数の凹槽は、部分を分けてランダムに横方向に間隔を開けた分布を呈することを特徴とする請求項１に記載の事務機の棒状ローラーの構造。
【請求項４】
前記ローラーは、弾性体材質であることを特徴とする請求項１、或いは２、或いは３に記載の事務機の棒状ローラーの構造。
【考案の詳細な説明】
【技術分野】
【０００１】
本考案は事務機の棒状ローラーの構造に関し、特にローラーと棒体の組合せ設計により、静かに、かつ安定して紙をフィードし、ガイドしつつ紙を送り、また粉塵、汚れ、微細な紙屑を収容し、摩擦を拡大するなどの効果を備え、各式事務機の棒状ローラーの構造或いは類似の構造に適用可能な事務機の棒状ローラーの構造に関する。
【背景技術】
【０００２】
図１に示すように、従来の事務機の棒状ローラーの構造は、ローラー３０、棒体４０を組み合わせて構成する。ローラー３０と紙との接触面は、完全な直接接触を採用する。使い始めの頃には、その接触面の摩擦効果は、良好と形容できる程度である。しかし、ある一定期間の使用後には、ローラー３０と紙の摩擦により、その接触面間には多くの粉塵、汚れ、及び摩擦で残された微細な紙屑が累積し、その結果、ローラー３０と紙との間の摩擦力は小さくなってしまう。しかも、摩擦力が小さくなるため、事務機の紙送り、及びページ分けが不確実になってしまい、紙が重なって送られ、或いは紙が詰まるという状況が発生し易い。深刻な場合には、事務機が故障し、修理作業が必要になってしまう。次に図２に示すように、別種の従来の事務機の棒状ローラーの構造は、ローラー５０、棒体６０を組み合わせて構成する。ローラー５０上には、複数の横方向凹槽５１を設置する。横方向凹槽５１により、上記した、ローラー３０と紙との摩擦後に、その接触面間に累積する粉塵、汚れ、及び微細な紙屑を収容する。しかし、ローラー５０上に設置する複数の横方向凹槽５１が浅過ぎれば、粉塵、汚れ、微細な紙屑は、あっという間に横方向凹槽５１にいっぱいに詰まってしまう。一方、横方向凹槽５１が深過ぎれば、ローラー５０の運転時に、騒音と過大な振動を生じる。しかも、ローラー５０上に設置する複数の横方向凹槽５１は、ローラー５０の回転動面を横断する同一の横方向接触面であるため、紙をフィードする時、紙との間に摩擦のない点を生じ、ある時間、ローラー５０と紙との間に接触がない状態が生まれる。これにより、接触の不均一を招き、こうして安定的に紙をフィードすることができなくなり、紙が歪んでしまうことさえある。またさらに別種の従来の事務機の棒状ローラーの構造（図示なし）は、ローラー、棒体を組み合わせて構成する。ローラー上にはラフ面を形成し、棒体はローラーの回転動を連動する。使い始めの頃には、ラフ面のおかげで摩擦力は十分であるが、使用後のラフ面には、多量の粉塵を発生し易く、しかも、その損耗率は相対的に高い。本考案は、従来の事務機の棒状ローラーの構造の上記した欠点に鑑みてなされたものである。
【考案の概要】
【考案が解決しようとする課題】
【０００３】
本考案が解決しようとする第一の課題は、ローラーと棒体との組合せ設計により、ローラー上には、複数の凹槽を設置し、複数の凹槽の間には、複数の接触面を形成し、しかも、ローラー上のあらゆる回転弧のすべての同一の横方向面は、複数の接触面に対応し、よって、棒体がローラーの回転動を連動する時、ローラーと紙との接触面は、ローラー上のあらゆる回転弧のすべての同一の横方向面が、複数の接触面に対応する設計により、ローラーは回転動時に、紙と随時接触を保持し、静かに、かつ安定して紙をフィードし、紙の歪みを回避し、これにより紙をガイドする効果を備えるため、高速紙送りの機器に適用することができ、全体的な使用の利便性と実用性を大幅に向上させることができる事務機の棒状ローラーの構造を提供することである。
本考案が解決しようとする第二の課題は、ローラー上に設置する複数の凹槽は、粉塵、汚れ、微細な紙屑を収容可能で、ローラーと紙との摩擦力を拡大し、ローラーと紙との接触時に、紙が滑る事態の発生を回避し、使用の便を向上させることができ、効果的にローラーの使用頻度を高め、ライフサイクルを延長し、全体的な使用の利便性と実用性を大幅に向上させることができる事務機の棒状ローラーの構造を提供することである。
【課題を解決するための手段】
【０００４】
上記課題を解決するため、本考案は下記の事務機の棒状ローラーの構造を提供する。
事務機の棒状ローラーの構造は、ローラー、棒体を備え、
該ローラー上には、複数の凹槽を設置し、
該複数の凹槽の間には、複数の接触面を形成し、
しかも、該ローラー上のあらゆる回転弧のすべての同一の横方向面は、該複数の接触面に対応し、該ローラーと紙とのすべての接触面は、同一横方向面において、該複数の接触面に対応し、
該棒体は、該ローラーに対応して貫通し、該ローラーに結合し、該ローラーの回転動を連動する。
【考案の効果】
【０００５】
本考案事務機の棒状ローラーの構造は、静かに、かつ安定して紙をフィードし、ガイドしつつ紙を送り、また粉塵、汚れ、微細な紙屑を収容し、摩擦を拡大することができる。これにより本考案の使用頻度を高め、ライフサイクルを延長し、全体的な使用の利便性と実用性を大幅に向上させることができる。
【図面の簡単な説明】
【０００６】
【図１】従来の実施例の立体外観図である。
【図２】別の従来の実施例の立体外観図である。
【図３】本考案第一実施例の立体外観図である。
【図４】本考案第一実施例の部品を示す立体分解図である。
【図５】本考案第二実施例の立体外観図である。
【考案を実施するための形態】
【０００７】
以下に図面を参照しながら本考案を実施するための最良の形態について詳細に説明する。
【実施例】
【０００８】
図３、４、５に示すように、本考案事務機の棒状ローラーの構造は、ローラー１０、棒体２０を備える。
【０００９】
ローラー１０上には、複数の凹槽１０１を設置する。複数の凹槽１０１の間には、複数の接触面１０２を形成する。しかも、回転時に、ローラー１０上のあらゆる回転弧のすべての同一の横方向面は、複数の接触面１０２に対応する。
【００１０】
棒体２０は、ローラー１０に対応して貫通し、ローラー１０に結合し、ローラー１０の回転動を連動する。
【００１１】
ローラー１０には、横方向孔道１０３を設置し、これに棒体２０は対応して貫通し、結合する。ローラー１０上の複数の凹槽１０１は、網状分布、部分を分けてランダムに横方向に間隔を開けた分布、或いは他の類似の分布とすることができる。しかも、ローラー１０は、弾性体材質である。
【００１２】
上記した構造により事務機の棒状ローラーの構造を構成する。図３、４、５に示すように、本考案は、ローラー１０と棒体２０の組合せ設計による。ローラー１０上には、複数の凹槽１０１を設置する。複数の凹槽１０１の間には、複数の接触面１０２を形成する。しかも、ローラー１０上のあらゆる回転弧のすべての同一の横方向面は、複数の接触面１０２に対応する。よって、棒体２０がローラー１０の回転動を連動する時、ローラー１０と紙の接触面上は、ローラー１０上のすべての同一横方向面が、複数の接触面１０２に対応する設計であるため、ローラー１０は、回転動時に、随時、紙と平均した接触を保持し、摩擦接触が途切れる点はなく、静かで、しかも安定して紙をフィードでき、紙の歪みを回避することができる。こうして、紙送りをガイドする効果を備えるため、高速紙送りの機器に適用可能である。ローラー１０上に設置する複数の凹槽１０１により、粉塵、汚れ、微細な紙屑を収容し、ローラー１０と紙との摩擦力を拡大する。こうして、紙が滑る事態の発生を回避し、使用の便を向上させることができる。さらに、これにより、事務機中における使用の頻度を高め、ライフサイクルを延長することができる。すなわち、本考案は静かに、かつ安定して紙をフィードし、ガイドしつつ紙を送り、また粉塵、汚れ、微細な紙屑を収容し、摩擦を拡大するなどの効果を備え、各式事務機の棒状ローラーの構造或いは類似の構造に適用可能である。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１０  ローラー
２０  棒体
３０  ローラー
４０  棒体
５０  ローラー
５１  凹槽
６０  棒体
１０１  凹槽
１０２  接触面
１０３  横方向孔道
【図１】
0003155281.tif 000003
【図２】
0003155281.tif 000004
【図３】
0003155281.tif 000005
【図４】
0003155281.tif 000006
【図５】
0003155281.tif 000007